(57)【要約】  通報音を発生する、通報音発生部２と、位置情報を取得する位置情報取得部３と、通報音発生部２と位置情報取得部３とを起動させる起動部４と、省電力広域無線通信をする通信部５と、起動部４が通報音発生部２を起動させた後、位置情報取得部３から位置情報を取得できない場合、通報装置１を識別する通報装置識別情報と、通報の発生を示す通報発生情報とを有する通報情報を、通信部５を介して送信する、制御部６とを有する通報装置１である。
2019187628.tif 000002
【特許請求の範囲】
【請求項１】
通報音を発生する、通報音発生部と、
位置情報を取得する、位置情報取得部と、
前記通報音発生部と前記位置情報取得部とを起動させる、起動部と、
省電力広域無線通信をする、通信部と、
前記起動部が前記通報音発生部を起動させた後、前記位置情報取得部から前記位置情報を取得できない場合、通報装置を識別する通報装置識別情報と、通報の発生を示す通報発生情報とを有する通報情報を、前記通信部を介して送信する、制御部と、
を有することを特徴とする通報装置。
【請求項２】
請求項１に記載の通報装置であって、
前記制御部は、所定時間経過後、前記位置情報を取得した場合、前記通報装置識別情報と、前記通報発生情報と、前記位置情報とを有する通報情報を、前記通信部を介して送信する
ことを特徴とする通報装置。
【請求項３】
請求項１又は２に記載の通報装置であって、
前記制御部は、前記起動部が起動前の状態に戻された場合、前記通報音発生部を停止させ、予め設定された設定時間後、前記位置情報取得部を停止させる
ことを特徴とする通報装置。
【請求項４】
通報装置の制御方法であって、
（ａ）起動部が、通報音を発生する通報音発生部を起動させた後、位置情報を取得する位置情報取得部から前記位置情報を取得できない場合、前記通報装置を識別する通報装置識別情報と、通報の発生を示す通報発生情報とを有する通報情報を、省電力広域無線通信をする通信部を介して送信する、ステップ
を有することを特徴とする通報装置の制御方法。
【請求項５】
請求項４に記載の通報装置の制御方法であって、
（ｂ）所定時間経過後、前記位置情報を取得した場合、前記通報装置識別情報と、前記通報発生情報と、前記位置情報とを有する通報情報を、前記通信部を介して送信する、ステップを有する
ことを特徴とする通報装置の制御方法。
【請求項６】
請求項４又は５に記載の通報装置の制御方法であって、
（ｃ）前記起動部が起動前の状態に戻された場合、前記通報音発生部を停止させ、予め設定された設定時間後、前記位置情報取得部を停止させる、ステップを有する
ことを特徴とする通報装置の制御方法。
【請求項７】
通報装置の制御プログラムであって、
プロセッサに、
（ａ）起動部が、通報音を発生する通報音発生部を起動させた後、位置情報を取得する位置情報取得部から前記位置情報を取得できない場合、通報装置を識別する通報装置識別情報と、通報の発生を示す通報発生情報とを有する通報情報を、省電力広域無線通信をする通信部を介して送信する、ステップ
を実行させる命令を含む、プログラムを記録しているコンピュータ読み取り可能な記録媒体。
【請求項８】
請求項７に記載のコンピュータ読み取り可能な記録媒体であって、
前記プログラムが、前記プロセッサに、
（ｂ）所定時間経過後、前記位置情報を取得した場合、前記通報装置識別情報と、前記通報発生情報と、前記位置情報とを有する通報情報を、前記通信部を介して送信する、ステップを実行させる命令を更に含む、
プログラムを記録しているコンピュータ読み取り可能な記録媒体。
【請求項９】
請求項７又は８に記載のコンピュータ読み取り可能な記録媒体であって、
前記プログラムが、前記プロセッサに、
（ｃ）前記起動部が起動前の状態に戻された場合、前記通報音発生部を停止させ、予め設
定された設定時間後、前記位置情報取得部を停止させる、ステップを実行させる命令を更に含む、
プログラムを記録しているコンピュータ読み取り可能な記録媒体。
【請求項１０】
通報音を発生する通報音発生部が起動した後、位置情報を取得できない場合、通報装置を識別する通報装置識別情報と、通報の発生を示す通報発生情報とを有する第一の通報情報を送信する、前記通報装置と、
前記第一の通報情報を受信した場合、前記第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、前記無線装置と、
前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、情報生成装置と、
を有することを特徴とする通報システム。
【請求項１１】
請求項１０に記載の通報システムであって、
前記情報生成装置は、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする通報システム。
【請求項１２】
請求項１０又は１１に記載の通報システムであって、
前記情報生成装置は、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする通報システム。
【請求項１３】
請求項１０から１２のいずれか一つに記載の通報システムであって、
前記通報装置は、通報音を発生する通報音発生部が起動した後、位置情報を取得できた場合、前記第一の通報情報に、前記通報装置の位置情報を付加した第三の通報情報を送信する
ことを特徴とする通報システム。
【請求項１４】
請求項１０から１３のいずれか一つに記載の通報システムであって、
前記通報装置は、起動部が起動前の状態に戻された場合、前記通報音発生部を停止し、予め設定された設定時間後、前記位置情報の取得を停止する
ことを特徴とする通報システム。
【請求項１５】
（ａ）通報音を発生する通報音発生部が起動した後、位置情報を取得できない場合、通報装置を識別する通報装置識別情報と、通報の発生を示す通報発生情報とを有する第一の通報情報を送信する、ステップと、
（ｂ）前記第一の通報情報を受信した場合、前記第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、ステップと、
（ｃ）前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップと、
を有することを特徴とする通報方法。
【請求項１６】
請求項１５に記載の通報方法であって、
前記（ａ）のステップにおいて、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする通報方法。
【請求項１７】
請求項１５又は１６に記載の通報方法であって、
前記（ｃ）のステップにおいて、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする通報方法。
【請求項１８】
請求項１５から１７のいずれか一つに記載の通報方法であって、
前記（ａ）のステップにおいて、通報音を発生する通報音発生部が起動した後、位置情報を取得できた場合、前記第一の通報情報に、前記通報装置の位置情報を付加した第三の通報情報を送信する
ことを特徴とする通報方法。
【請求項１９】
請求項１５から１８のいずれか一つに記載の通報方法であって、
（ｄ）起動部が起動前の状態に戻された場合、前記通報音発生部を停止し、予め設定された設定時間後、前記位置情報の取得を停止する、ステップを有する
ことを特徴とする通報方法。
【請求項２０】
通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する
ことを特徴とする情報生成装置。
【請求項２１】
請求項２０に記載の情報生成装置であって、
前記情報生成装置は、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする情報生成装置。
【請求項２２】
請求項２０又は２１に記載の情報生成装置であって、
前記情報生成装置は、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする情報生成装置。
【請求項２３】
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を有することを特徴とする情報生成方法。
【請求項２４】
請求項２３に記載の情報生成方法であって、
（ｂ）二台の前記無線装置から二つの前記第二の通報情報を受信した場合、前記電波受信強度情報を参照して、電波受信強度が強い前記無線装置の前記設置位置を用いて、前記表示情報を生成する、ステップを有する
ことを特徴とする情報生成方法。
【請求項２５】
請求項２３又は２４に記載の情報生成方法であって、
（ｃ）三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する、ステップを有する
ことを特徴とする情報生成方法。
【請求項２６】
コンピュータに、
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を実行させる命令を含む、プログラムを記録しているコンピュータ読み取り可能な記録媒体。
【請求項２７】
請求項２６に記載のコンピュータ読み取り可能な記録媒体であって、
前記プログラムが、前記コンピュータに、
（ｂ）二台の前記無線装置から二つの前記第二の通報情報を受信した場合、前記電波受信強度情報を参照して、電波受信強度が強い前記無線装置の前記設置位置を用いて、前記表示情報を生成する、ステップを実行させる命令を更に含む、
プログラムを記録しているコンピュータ読み取り可能な記録媒体。
【請求項２８】
請求項２６又は２７に記載のコンピュータ読み取り可能な記録媒体であって、
（ｃ）三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する、ステップを実行させる命令を更に含む、
プログラムを記録しているコンピュータ読み取り可能な記録媒体。
【発明の詳細な説明】
【技術分野】
【０００１】
本発明は、危険な状態を通報する、通報装置、通報方法、通報システムに関し、更には、これらを実現するためのプログラムを記録したしているコンピュータ読み取り可能な記録媒体に関する。
【背景技術】
【０００２】
下校途中の子供が、不審者に、声をかけられ、自動車に乗せられそうになるなど、子供たちが犯罪に巻き込まれる事例が頻発している。そのような社会環境において、保護者、教職員、ＰＴＡ（Parent-Teacher Association）、自治会、教育委員会などは、子供たちが少しでも犯罪に巻き込まれないようにするため、子供たちに防犯ブザーを持たせるなどして、子供たちの安全確保をしている。【０００３】
ところが、子供たちが犯罪に巻き込まれそうになった場合、防犯ブザーを鳴動しても、周囲にその通報音が届かないことがある。通報音の到達距離は、例えば、周囲の環境条件にもよるが、屋外においては５０［ｍ］四方程度である。そのため、５０［ｍ］四方の範囲内に他に人がいなければ危険状態を知らせることができず、危険状態が継続する可能性がある。【０００４】
そこで、子供が、通報音が届かない場所、更には遠隔地にいても、危険状態であることを通報できる、防犯ブザーが提案されている。そのような防犯ブザーによれば、危険状態であることを示す情報と、防犯ブザーの位置を示す情報とを遠隔地へ送信できる。【０００５】
また、特許文献１には、防犯機能が設けられた携帯端末が提案されている。その携帯端末によれば、ＧＰＳ（Global Positioning System）などを利用して取得した位置情報を、近距離無線通信を用いて、遠隔地のサーバコンピュータへ送信する、携帯端末が開示されている。
【先行技術文献】
【特許文献】
【０００６】
【特許文献１】特開２０１５−１９５５６０号公報
【発明の概要】
【発明が解決しようとする課題】
【０００７】
しかしながら、特許文献１に開示されている携帯端末は、近距離無線通信であるため、５［ｍ］から３０［ｍ］程度の距離にある近距離無線通信ができる端末にしか、危険状態であることを通報ができない。【０００８】
そこで、近距離無線通信に替えて広域無線通信を用いることが考えられる。しかし、近距離無線通信に比べて電力を要するため、携帯端末の電池を、頻繁に交換又は充電しなくてはならない。また、広域無線通信にした場合、通常の広域無線通信と同じ通信方式を利用するため、通信費が高くなる。【０００９】
また、特許文献１に開示されている携帯端末では、携帯端末の位置を詳細に知る必要があるので、ＧＰＳを用いて位置情報を取得している。また、携帯端末は防犯のため、携帯端末に搭載されたＧＰＳ通信モジュールを、ウォームスタンバイ、又はホットスタンバイにしている。【００１０】
ウォームスタンバイの場合、携帯端末は、ＧＰＳ通信モジュールの電源をオンにし、常に位置情報を取得できる状態にしている。また、ホットスタンバイの場合、携帯端末は、ＧＰＳ通信モジュールと、更に携帯端末に搭載された無線通信モジュールと、それらを制御する制御モジュールの電源をオンにし、常に位置情報を取得し、取得した位置情報を送信できる状態にしている。【００１１】
従って、携帯端末は、ウォームスタンバイ、又はホットスタンバイの状態では、常に電力を消費するので、携帯端末の電池を、頻繁に交換又は充電しなくてはならない。そこで、ＧＰＳ通信モジュールの電力消費を抑えるために、ＧＰＳ通信を行わない場合、ＧＰＳ通信モジュールをコールドスタンバイ（完全停止状態）にし、ＧＰＳ通信を行う場合、ＧＰＳ通信モジュールの電源をオンにし、位置情報を取得する方法が考えられる。しかし、ＧＰＳ通信モジュールの起動には、一分程度の時間を要するため、この方法は防犯に不向きである。【００１２】
本発明の目的の一例は、消費電力と通信費とを抑えつつ、近距離から遠隔地まで通報できる通報装置、通報方法、通報プログラム、及び通報システムを提供することにある。
【課題を解決するための手段】
【００１３】
上記目的を達成するため、本発明の一側面における通報装置は、
通報音を発生する、通報音発生部と、
位置情報を取得する、位置情報取得部と、
前記通報音発生部と前記位置情報取得部とを起動させる、起動部と、
省電力広域無線通信をする、通信部と、
前記起動部が前記通報音発生部を起動させた後、前記位置情報取得部から前記位置情報を取得できない場合、通報装置を識別する通報装置識別情報と、通報の発生を示す通報発生情報とを有する通報情報を、前記通信部を介して送信する、制御部と、
を有することを特徴とする。【００１４】
また、上記目的を達成するため、本発明の一側面における通報装置の制御方法は、
（ａ）起動部が、通報音を発生する通報音発生部を起動させた後、位置情報を取得する位置情報取得部から前記位置情報を取得できない場合、前記通報装置を識別する通報装置識別情報と、通報の発生を示す通報発生情報とを有する通報情報を、省電力広域無線通信をする通信部を介して送信する、ステップ
を有することを特徴とする。【００１５】
また、上記目的を達成するため、本発明の一側面における通報装置の制御プログラムをコンピュータ読み取り可能な記録媒体は、
プロセッサに、
（ａ）起動部が、通報音を発生する通報音発生部を起動させた後、位置情報を取得する位置情報取得部から前記位置情報を取得できない場合、前記通報装置を識別する通報装置識別情報と、通報の発生を示す通報発生情報とを有する通報情報を、省電力広域無線通信をする通信部を介して送信する、ステップを
実行させる命令を含むプログラムを記録していることを特徴とする。【００１６】
また、上記目的を達成するため、本発明の一側面における通報システムは、
通報音を発生する通報音発生部が起動した後、位置情報を取得できない場合、通報装置を識別する通報装置識別情報と、通報の発生を示す通報発生情報とを有する第一の通報情報を送信する、前記通報装置と、
前記通報情報を受信した場合、前記第一の通報発生情報に、前記通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、前記無線装置と、
前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、情報生成装置と、
を有することを特徴とする。【００１７】
また、上記目的を達成するため、本発明の一側面における通報方法は、
（ａ）通報音を発生する通報音発生部が起動した後、位置情報を取得できない場合、通報装置を識別する通報装置識別情報と、通報の発生を示す通報発生情報とを有する第一の通報情報を送信する、ステップと、
（ｂ）前記第一の通報情報を受信した場合、前記第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、ステップと、
（ｃ）前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップと、
を有することを特徴とする。【００１８】
また、上記目的を達成するため、本発明の一側面における情報生成装置は、
通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する
ことを特徴とする。【００１９】
また、上記目的を達成するため、本発明の一側面における情報生成方法は、
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を有することを特徴とする。【００２０】
更に、上記目的を達成するため、本発明の一側面における情報生成プログラムをコンピュータ読み取り可能な記録媒体は、
コンピュータに、
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を実行させる命令を含むプログラムを記録していることを特徴とする。
【発明の効果】
【００２１】
以上のように本発明によれば、消費電力と通信費を抑えつつ、近距離から遠隔地まで通報できる。
【図面の簡単な説明】
【００２２】
【図１】図１は、通報装置の一例を示す図である。
【図２】図２は、通報装置を有するシステムの一例を示す図である。
【図３】図３は、通報装置の動作の一例を示す図である。
【図４】図４は、情報生成装置の動作の一例を示す図である。
【図５】図５は、通報装置の動作の変形例を示す図である。
【図６】図６は、情報生成装置を実現するコンピュータの一例を示す図である。
【発明を実施するための形態】
【００２３】
（実施の形態）
以下、本発明の実施の形態について、図１から図６を参照しながら説明する。
【００２４】
［装置構成］
最初に、図１を用いて、本実施の形態における通報装置の構成について説明する。図１は、通報装置の一例を示す図である。
【００２５】
図１に示す本実施の形態における通報装置１は、消費電力と通信費を抑えつつ、近距離から遠隔地まで通報できる装置である。図１に示すように、通報装置１は、通報音発生部２と、位置情報取得部３と、起動部４と、通信部５と、制御部６とを有する。
【００２６】
具体的には、通報装置１は、通報音を発生する通報音発生部２と、位置情報を取得する位置情報取得部３と、通報音発生部２と位置情報取得部３とを起動させる起動部４と、省電力広域無線通信をする通信部５と、それらを制御する制御部６とを有する。また、制御部６は、起動部４が通報音発生部２を起動させた後、位置情報取得部３から位置情報を取得できない場合、通報装置１を識別する通報装置識別情報と、通報の発生を示す通報発生情報とを有する通報情報とを通信部５を介して送信する。
【００２７】
通報装置１は、例えば、防犯ブザー、高齢者又は障害者などが支援を必要する場合に利用する緊急通報装置などである。通報音発生部２は、例えば、ブザー、又はスピーカなどである。起動部４は、例えば、引きヒモ式のスイッチ、又は押しボタン式のスイッチなどである。位置情報取得部３は、ＧＰＳ通信モジュールなどのデバイスである。通信部５は、消費電力を抑えて遠距離通信を実現する通信方式を採用した無線通信モジュールである。例えば、ＬＰＷＡ（Low Power Wide Area：省電力広域）無線通信モジュールなどのデバイスである。制御部６は、ＣＰＵ（Central Processing Unit）、又はＦＰＧＡ（Field-Programmable Gate Array）などを用いて構成した回路である。
【００２８】
このように、本実施の形態では、通報装置１は、通常時、起動部４が通報音発生部２を起動させるまで、位置情報取得部３をコールドスタンバイさせ、更には、通信部５は省電力広域無線通信を採用しているので、消費電力を抑えことができる。従って、通報装置１に搭載している電力源、例えば、電池を頻繁に交換又は充電しなくてよい。また、通信部５は、省電力広域無線通信を採用しているので、広域無線通信装置を採用した場合よりも、通信費を抑えことができる。
【００２９】
更に、通報装置１は、起動部４が通報音発生部２を起動させた後、位置情報取得部３から位置情報を取得できるようになるまで、すなわち位置情報取得部３がコールドスタンバイからウォームスタンバイに移行するまでの時間においても、通報情報を、通信部５を介して送信できる。従って、通報装置１は、起動部４を用いて通報をした後、直ぐに近距離から遠隔地まで通報できる。
【００３０】
［システム構成］
続いて、図２を用いて、本実施の形態における通報システムにつて具体的に説明する。図２は、通報装置を有するシステムの一例を示す図である。
【００３１】
図２に示すように、本実施の形態における通報システム２０は、通報装置１と、無線装置２１（図２では、２１ａ、２１ｂ、２１ｃと表記する）と、サーバ装置２２と、情報生成装置２３とを有する。また、図２に示す通報装置１は、通報音発生部２、位置情報取得部３、起動部４、通信部５、制御部６に加えて、時計部７を有する。
【００３２】
通報装置１は、利用者による起動部４の操作（例えば、防犯ブザーの引きヒモを引く操作）を契機に、通報音を発生するとともに、無線装置２１へ通報情報を送信する。通報装置１について、具体的に説明する。
【００３３】
通報音発生部２は、危険を周囲へ周知できる音量の通報音を発生する。通報音発生部２は、制御部６が起動部４の操作されたことを検出した場合、制御部６が出力した起動信号により通報音を発生する。
【００３４】
位置情報取得部３は、ＧＰＳなどを利用して、通報装置１の現在位置（緯度、経度）を示す位置情報を取得し、取得した位置情報を制御部６へ送信する。位置情報取得部３は、起動部４が操作されたことを、制御部６が検出した場合、制御部６が出力した起動信号によりコールドスタンバイからウォームスタンバイに移行する。
【００３５】
起動部４は、通報の際に利用者により操作された場合、例えば、防犯ブザーの引きヒモが引かれた場合などに、制御部６へ操作されたことを示す信号を出力し、信号を検出した制御部６により、通報音発生部２と位置情報取得部３とを起動させる。
【００３６】
通信部５は、無線装置２１と省電力広域無線通信をする。通信部５は、制御部６から送信された、通報装置１を識別する通報装置識別情報と、通報の発生を示す通報発生情報とを有する通報情報を、無線装置２１へ送信する。
【００３７】
制御部６は、起動部４が操作されたことを検出した場合、通報音を発生させるための起動信号を、通報音発生部２へ出力する。また、制御部６は、起動部４が操作されたことを検出した場合、起動信号を位置情報取得部３へ出力し、コールドスタンバイからウォームスタンバイへ移行させる。
【００３８】
制御部６は、位置情報を取得できない場合、通報装置１を識別する通報装置識別情報と、通報の発生を示す通報発生情報とを有する通報情報（第一の通報情報：位置情報なしの通報情報）とを生成し、生成した通報情報を通信部５へ出力する。
【００３９】
また、制御部６は、所定時間経過後、位置情報を取得した場合、通報装置識別情報と、通報発生情報と、位置情報とを有する通報情報（第三の通報情報：位置情報ありの通報情報）を生成し、生成した通報情報を通信部５へ出力する。なお、所定時間は、コールドスタンバイからウォームスタンバイへ移行するのに要する時間以上の時間である。
【００４０】
時計部７は、起動部４の状態が起動前の状態に戻された場合、予め設定されている設定時間を計測して、制御部６へ計測した時間を出力する。なお、時計部７は、制御部６に設けてもよい。
【００４１】
無線装置２１は、通信部５が送信した通報情報を受信した場合、通報情報（第一の通報情報：位置情報なしの通報情報）を受信した無線装置２１を識別する無線装置識別情報と、通報発生情報を受信した場合に計測した電波受信強度を示す電波受信強度情報と、通報情報を受信した日時を示す無線通信日時情報を付加した通報発生情報（第二の通報情報：位置情報なしの通報情報）を生成し、当該通報発生情報をサーバ装置２２へ送信する。
【００４２】
また、無線装置２１は、通信部５が送信した通報情報（第三の通報情報：位置情報ありの通報情報）を受信した場合、通報情報（第三の通報情報：位置情報ありの通報情報）を、サーバ装置２２へ送信する。なお、無線装置２１は、例えば、ＬＰＷＡ（省電力広域）無線基地局ゲートウェイ装置などである。
【００４３】
サーバ装置２２は、無線装置２１から通報情報（第二の通報情報：位置情報なしの通報情報、又は第三の通報情報：位置情報ありの通報情報）を受信した場合、当該通報情報（第二の通報情報、又は第三の通報情報）を、情報生成装置２３へ送信する。サーバ装置２２は、例えば、ＬＰＷＡ（省電力広域）ネットワークサーバ装置などである。
【００４４】
情報生成装置２３は、サーバ装置２２から通報情報（第二の通報情報：位置情報なしの通報情報）を受信した場合、通報装置識別情報と、通報発生情報と、無線装置識別情報と、情報生成装置２３が有する無線装置２１の設置位置を示す設置位置情報と、地図情報とを用いて、地図に通報情報を受信した無線装置２１に対応する表示をさせるための表示情報を生成する。
【００４５】
具体的には、情報生成装置２３は、通報装置１の識別を示す通報装置識別情報を用いて、地図における無線装置２１の設置位置を特定する。続いて、情報生成装置２３は、地図に、通報情報を受信した無線装置２１の設置位置と、通報発生の知らせと、通報発生の日時などを、端末装置２４に表示させるための表示情報（第一段階の表示情報）を生成する。
【００４６】
例えば、地図に示された無線装置２１に対応する画像を中心とし、電波受信強度情報に応じた半径を設定し、その設定に基づいた円形を表示する。すなわち、通報がされたと推定される範囲を表示する。電波受信強度が強い場合、円形は小さく表示し、電波受信強度が弱い場合、円形を大きく表示する。そうすることで、通報装置１が通報情報を送信した大まかな位置を利用者に提示することができる。
【００４７】
また、情報生成装置２３は、二台の無線装置２１から二つの通報情報（第二の通報情報）を受信した場合、電波受信強度情報を参照して、電波受信強度が強い無線装置２１の設置位置を用いて、表示情報（第一段階の表示情報）を生成する。
【００４８】
更に、情報生成装置２３は、三台以上の無線装置２１から三つ以上の通報情報（第二の通報情報）を受信した場合、まず、電波受信強度情報を参照して、電波受信強度が強い無線装置２１の設置位置を用いて、三点位置測位に基づいて通報装置１の位置を算出する。続いて、情報生成装置２３は、地図情報に三点測位の算出結果を表示させるための表示情報（第二段階の表示情報）を生成する。そうすることで、第一段階の表示情報より詳細な、通報情報を送信した通報装置１の位置を、利用者に提示することができる。
【００４９】
次に、情報生成装置２３は、サーバ装置２２から通報情報（第三の通報情報：位置情報ありの通報情報）を受信した場合、位置情報と、地図情報とを用いて、地図に通報情報を受信した無線装置２１に対応する表示をさせるための表示情報（第三段階の表示情報）を生成する。
【００５０】
具体的には、情報生成装置２３は、位置情報を用いて、地図における無線装置２１の設置位置を特定する。続いて、情報生成装置２３は、地図に、通報情報を受信した通報装置１の詳細な位置と、通報発生の知らせ、通報発生の日時などを、端末装置２４に表示させるための表示情報（第三段階の表示情報）を生成する。なお、情報生成装置２３は、アプリケーションサーバ装置などである。
【００５１】
端末装置２４は、情報生成装置２３が生成した表示情報を、ネットワークを介して取得し、表示情報に基づいて、表示をする。端末装置２４は、例えば、携帯電話、スマートフォン、パーソナルコンピュータなどである。
【００５２】
［変形例］
変形例について説明する。例えば、上述した通信機能が設けられた防犯ブザーを用いた場合、防犯ブザーに設けられている引きヒモを、犯罪者が元に戻した場合、防犯ブザーは鳴動を停止するだけでなく、通信機能まで停止する。そのため、危険状態が継続する。
【００５３】
そこで、変形例では、起動部４が起動前の状態に戻された場合、制御部６は、通報音を停止させるための停止信号を、通報音発生部２へ出力して、通報音を停止する。また、制御部６は、起動部４が起動前の状態に戻された場合、時計部７に対して、予め設定された設定時間を計測する指示をする。
【００５４】
続いて、制御部６は、時間を計測している間、起動部４が起動前の状態に戻されても、通報情報（第三の通報情報：位置情報ありの通報情報）を、通信部５を介して無線装置２１へ送信する。なお、時計部７が設定時間の計測を終了した場合、通報情報（第三の通報情報：位置情報ありの通報情報）の送信を停止する。また、制御部６は、位置情報取得部３をコールドスタンバイ状態に移行させる。
【００５５】
このようにすることで、起動部４が起動前の状態に戻された場合（例えば、防犯ブザーの引きヒモを戻された場合）、通報情報（第三の通報情報：位置情報ありの通報情報）の送信は、設定時間継続して行われる。そのため、ブザーの鳴動が他の人に聞こえない状況でも、省電力広域無線通信を継続して行えるため、遠隔地において通報装置１の位置を確認できる。そのため、危険状態が継続している場合でも、救援を迅速に行うことができる。
【００５６】
［その他の例］
起動部４と別に、通報音発生部２を起動しない、位置情報取得部３だけを起動する起動部を、通報装置１に設けてもよい、すなわち、位置情報取得部３だけを起動し、位置情報のみを送信してもよい。そうすることで、遠隔地にいる高齢者、又は障害者などが支援を必要とする状態において、保護者、家族、教職員、警察以外に、タクシー会社、地域ケアサポータなどを呼び出す場合に用いる、緊急通報装置として利用できる。
【００５７】
また、通報装置１に、位置情報取得部３を設けず、第三段階の表示情報を情報生成装置２３に生成させないようにしてもよい。すなわち、情報生成装置２３に、第一、第二段階の表示情報だけを生成させるようにしてもよい。そうすることで、通報装置１の価格を低価格に設定することができる。
【００５８】
更に、通報装置１と、無線装置２１と、サーバ装置２２とを用いて、通報システム２０を構築してもよい。すなわち、情報生成装置２３の表示情報を生成する機能を、サーバ装置２２に設けてもよい。このように、情報生成装置２３を削減することで、通報サービスの導入価格を低価格に設定することができる。
【００５９】
［装置動作］
次に、本発明の実施の形態における通報装置１の動作について図３を用いて説明する。図３は、通報装置の動作の一例を示す図である。また、本発明の実施の形態における情報生成装置２３の動作について図４を用いて説明する。図４は、情報生成装置の動作の一例を示す図である。更に、本発明の実施の形態における通報装置の変形例について図５を用いて説明する。図５は、通報装置の動作の変形例を示す図である。
【００６０】
以下の説明においては、適宜図１から図３を参酌する。また、本実施の形態では、通報装置を動作させることによって、通報方法が実施される。よって、本実施の形態における通報方法の説明は、以下の通報装置の動作説明に代える。更に、本実施の形態では、情報生成装置を動作させることによって、情報生成方法が実施される。よって、本実施の形態における情報生成方法の説明は、以下の情報生成装置の動作説明に代える。
【００６１】
通報装置１の動作について説明する。
図３に示すように、制御部６は、まず、起動部４が操作されたことを検出する（ステップＡ１）。続いて、制御部６は、通報音発生部２及び位置情報取得部３を起動する（ステップＡ２）。続いて、制御部６は、位置情報取得部３が位置情報を取得したか否かを判定する（ステップＡ３）。続いて、制御部６は、位置情報を取得した場合（ステップＡ３：Ｙｅｓ）、第三の通報情報を、通信部５を介して、無線装置２１へ送信する（ステップＡ５）。また、制御部６は、位置情報を取得していない場合（ステップＡ３：Ｎｏ）、第一の通報情報を、通信部５を介して、無線装置２１へ送信する（ステップＡ５）。続いて、制御部６は、起動部４が元の状態に戻された否かを検出する（ステップＡ６）。すなわち、通報装置１が停止状態であるか否かを検出する。通報装置１が停止状態に移行したことを検出した場合（ステップＡ６：Ｙｅｓ）、この処理を終了する。また、通報装置１が停止状態に移行していない場合（ステップＡ６：Ｎｏ）、ステップＡ３からＡ６の処理を繰り返す。
【００６２】
ステップＡ１からＡ６について詳細に説明する。
ステップＡ１において、通報の際、起動部４が利用者により操作された場合、例えば、防犯ブザーの引きヒモが引かれた場合などに、起動部４が出力する、起動部４が操作されたことを示す信号を、制御部６が検出する。
【００６３】
ステップＡ２において、制御部６は、起動部４が操作されたことを検出した場合、通報音を発生させるための起動信号を、通報音発生部２へ出力する。また、制御部６は、起動部４が操作されたことを検出した場合、起動信号を位置情報取得部３へ出力し、コールドスタンバイからウォームスタンバイへ移行させる。
【００６４】
ステップＡ３において、制御部６は、位置情報取得部３が位置情報を取得したか否かを判定する。
【００６５】
ステップＡ４において、位置情報取得部３から位置情報を取得した場合（ステップＡ３：Ｙｅｓ）、制御部６は、通報装置識別情報と、通報発生情報と、位置情報とを有する第三の通報情報（位置情報ありの通報情報）を生成し、生成した通報情報を通信部５へ出力する。具体的には、制御部６は、所定時間経過後、位置情報を取得した場合、第三の通報情報（位置情報ありの通報情報）を生成し、生成した通報情報を、通信部５を介して無線装置２１へ送信する。
【００６６】
ステップＡ５において、位置情報取得部３から位置情報を取得できない場合（ステップＡ３：Ｎｏ）、制御部６は、通報装置識別情報と、通報の発生を示す通報発生情報とを有する第一の通報情報（位置情報なしの通報情報）を生成し、生成した通報情報を通信部５へ出力する。具体的には、制御部６は、位置情報を取得できない場合、第一の通報情報（位置情報なしの通報情報）を生成し、生成した通報情報を、通信部５を介して無線装置２１へ送信する。
【００６７】
なお、通報情報を受信した無線装置２１は、第一の通報情報を受信した場合、第二の通報情報を生成して、第二の通報情報をサーバ装置２２へ送信する。また、通報情報を受信した無線装置２１は、第三の通報情報を受信した場合、第三の通報情報をサーバ装置２２へ送信する。そして、第二、又は第三の通報情報を受信したサーバ装置２２は、第二、又は第三の通報情報を情報生成装置２３へ送信する。
【００６８】
ステップＡ６において、制御部６は、通報装置１が停止状態であるか否かを検出し、通報装置１が停止状態に移行したことを検出した場合（ステップＡ６：Ｙｅｓ）、この処理を終了する。また、通報装置１が通報を継続している場合（ステップＡ６：Ｎｏ）、ステップＡ３からＡ６の処理を繰り返す。
【００６９】
情報生成装置２３の動作について説明する。
図４に示すように、情報生成装置２３は、まず、通報情報を受信する（ステップＢ１）。続いて、情報生成装置２３は、第三の通報情報を取得したか否かを判定する（ステップＢ２）。第三の通報情報を取得した場合（ステップＢ２：Ｙｅｓ）、情報生成装置２３は、第三段階の表示情報を生成する（ステップＢ３）。また、第三の通報情報が取得できない場合（ステップＢ２：Ｎｏ）、情報生成装置２３は、第二の通報情報を取得した無線装置２１が一台であるか否かを判定する（ステップＢ４）。
【００７０】
無線装置２１が一台である場合（ステップＢ４：Ｙｅｓ）、情報生成装置２３は、第一段階の表示情報を生成する（ステップＢ５）。無線装置２１が一台でない場合（ステップＢ４：Ｎｏ）、情報生成装置２３は、無線装置２１が二台であるか否かを判定する（ステップＢ６）。
【００７１】
第二の通報情報を取得した無線装置２１が二台である場合（ステップＢ６：Ｙｅｓ）、情報生成装置２３は、第二の通報情報に基づいて、二台のうち電波受信強度が強い無線装置２１を特定する（ステップＢ７）。無線装置２１が二台より多い場合（ステップＢ６：Ｎｏ）、情報生成装置２３は、第二の通報情報を受信した無線装置２１の設置位置を用いて、三点測位による算出をする（ステップＢ８）。そして、第二段階の表示情報を生成する（ステップＢ９）。
【００７２】
ステップＢ１からＢ８について詳細に説明する。
ステップＢ１において、情報生成装置２３は、サーバ装置２２から第二、又は第三の通報情報を受信する。
【００７３】
ステップＢ２において、情報生成装置２３は、第三の通報情報を取得したか否かを判定する。すなわち、受信した通報情報に位置情報が含まれている場合、第三の通報情報を受信したと判定する。
【００７４】
ステップＢ３において、情報生成装置２３は、第三の通報情報を取得した場合、地図情報と位置情報を用いて、第三段階の表示情報を生成する。具体的には、情報生成装置２３は、位置情報を用いて、地図における無線装置２１の設置位置を特定する。続いて、情報生成装置２３は、地図に、通報情報を受信した通報装置１の詳細な位置と、通報発生の知らせ、通報発生の日時などを、端末装置２４に表示させるための第三段階の表示情報を生成する。
【００７５】
ステップＢ４において、情報生成装置２３は、第二の通報情報を取得した場合、第二の通報情報を取得した無線装置２１が一台であるか否かを判定する。ステップＢ５おいて、情報生成装置２３は、第二の通報情報を取得した無線装置２１が一台である場合（ステップＢ４：Ｙｅｓ）、第一段階の表示情報を生成する。具体的には、情報生成装置２３は、まず、通報装置１の識別を示す通報装置識別情報を用いて、地図における無線装置２１の設置位置を特定する。続いて、情報生成装置２３は、地図に、通報情報を受信した無線装置２１の設置位置と、通報発生の知らせと、通報発生の日時などを、端末装置２４に表示させるための表示情報（第一段階の表示情報）を生成する。
【００７６】
ステップＢ６において、情報生成装置２３は、第二の通報情報を取得した無線装置２１が二台である場合（ステップＢ４：Ｎｏ）、第二の通報情報を取得した無線装置２１が二台であるか否かを判定する。
【００７７】
ステップＢ７において、情報生成装置２３は、第二の通報情報を取得した無線装置２１が二台である場合（ステップＢ６：Ｙｅｓ）、第一段階の表示情報を生成する。具体的には、ステップＢ７において、情報生成装置２３は、二台の無線装置２１から二つの第二の通報情報を受信した場合、電波受信強度情報を参照して、電波受信強度が強い無線装置２１を特定する。そして、情報生成装置２３は、特定した無線装置２１の設置位置を用いて、ステップＢ５において、第一段階の表示情報を生成する。
【００７８】
ステップＢ８においては、情報生成装置２３は、三台以上の無線装置２１から三つ以上の第二の通報情報を受信した場合（ステップＢ６：Ｎｏ）、まず、電波受信強度情報を参照して、電波受信強度が強い、三つの無線装置２１の設置位置を用いて、三点位置測位に基づいて通報装置１の位置を算出する。続いて、ステップＢ８においては、情報生成装置２３は、地図情報に三点測位の算出結果を表示させるための第二段階の表示情報を生成する。
【００７９】
制御装置の変形例の動作について説明する。
図５に示すように、制御部６は、起動部４が起動前の状態であることを検出する（ステップＣ１）。続いて、制御部６は、通報音発生部２へ停止信号を出力する（ステップＣ２）。続いて、制御部６は、時計部７が時間計測を開始する（ステップＣ３）。続いて、制御部６は、位置情報取得部３から位置情報を取得する（ステップＣ４）。続いて、制御部６は、無線装置２１へ第三の通報情報を送信する（ステップＣ５）。続いて、制御部６は、設定時間経過したかを判定する（ステップＣ６）。続いて、制御部６は、設定時間経過した場合（ステップＣ６：Ｙｅｓ）、無線装置２１への第三の通報情報の送信を停止する（ステップＣ７）。また、制御部６は、設定時間経過していない場合（ステップＣ６：Ｎｏ）、ステップＣ４からＣ５の処理を繰り返す。
【００８０】
ステップＣ１からＣ７について詳細に説明する。
ステップＣ１において、制御部６は、起動部４が起動前の状態（例えば、防犯ブザーの引きヒモが元に戻された状態）を検出する。
【００８１】
ステップＣ２においては、制御部６は、起動部４が起動前の状態を検出した場合、通報音を停止させるための停止信号を、通報音発生部２へ出力して、通報音を停止させる。
【００８２】
ステップＣ３においては、制御部６は、時計部７に対して、予め設定された設定時間を計測する指示をする。
【００８３】
ステップＣ４においては、制御部６は、位置情報取得部３から位置情報を取得する。続いて、ステップＣ５において、生成した第三の通報情報を、通信部５を介して無線装置２１へ送信する。
【００８４】
ステップＣ６においては、制御部６は、時計部７が設定時間の計測を終了したか否かを判定する。ステップＣ７においては、時計部７が設定時間の計測を終了した場合（ステップＣ６：Ｙｅｓ）、制御部６は、第三の通報情報の送信を停止する。また、制御部６は、位置情報取得部３をコールドスタンバイ状態に移行させる。
【００８５】
［本実施の形態の効果］
以上のように本実施の形態によれば、通報装置１は、通常時、通信部５をコールドスタンバイさせている。また、通信部５は、省電力広域無線通信を採用している。そうすることで、消費電力を抑えことができる。従って、通報装置１に搭載している電力源、例えば、電池を頻繁に交換又は充電しなくてよい。更に、通信部５は、省電力広域無線通信を採用しているので、広域無線通信装置を採用した場合よりも、通信費を抑えことができる。
【００８６】
また、通報装置１は、起動部４が通報音発生部２を起動させた後、位置情報取得部３から位置情報を取得できるようになるまで、すなわち位置情報取得部３がコールドスタンバイからウォームスタンバイに移行するまでの時間においても、通報情報を、通信部５を介して送信できる。従って、通報装置１は、起動部４を用いて通報をした後、直ぐに近距離から遠隔地まで通報できる。
【００８７】
また、起動部４が起動前の状態に戻された場合（例えば、防犯ブザーの引きヒモを戻された場合）、通報情報（第三の通報情報：位置情報ありの通報情報）は、設定時間継続して行われる。そのため、ブザーの鳴動が他の人に聞こえない状況でも、省電力広域無線通信を継続して行えるため、遠隔地において通報装置１の位置を確認できる。そのため、危険状態が継続している場合でも、救援を迅速に行うことができる。
【００８８】
具体的には、位置情報取得部３をコールドスタンバイ（完全停止状態）から、位置情報（緯度、経度情報）を取得するまでに時間がかかるが、ＧＰＳによる位置情報が取得できるまで、省電力広域無線通信を用いて通報情報を無線装置２１へ送信できるので、通報装置１の通報発生位置の大枠（無線装置２１の設置位置を中心からの距離）が把握できる。
【００８９】
また、複数台（三台以上）の無線装置２１それぞれが通報情報を受信した場合、三点測位により通報発生位置の概略が把握できる。また、その概略を把握後に、ＧＰＳによる詳細な位置情報を把握するので、通報発生から、段階的な通報発生場所の絞り込みができる。従って、保護者、家族、教職員、警察以外に、タクシー会社、地域ケアサポータなどは、通報に対する的確な対応ができる。
【００９０】
このように、段階的に通報発生位置を詳細化することで、速達性を犠牲にすることなく、消費電力と通信費の削減を達成する。
【００９１】
［プログラム］
本発明の実施の形態における通報プログラムは、コンピュータに、図３に示すステップＡ１からＡ６、図５に示すステップＣ１からＣ７を実行させるプログラムであればよい。このプログラムをコンピュータにインストールし、実行することによって、本実施の形態における通報装置と通報方法とを実現することができる。この場合、コンピュータのプロセッサは、制御部６として機能し、処理を行なう。
【００９２】
また、本発明の実施の形態における情報生成プログラムは、コンピュータに、図４に示すステップＢ１からＢ９を実行させるプログラムであればよい。このプログラムをコンピュータにインストールし、実行することによって、本実施の形態における情報生成装置と情報生成方法とを実現することができる。この場合、コンピュータのプロセッサは、情報生成として機能し、処理を行なう。
【００９３】
また、本実施の形態における情報生成プログラムは、複数のコンピュータによって構築されたコンピュータシステムによって実行されてもよい。
【００９４】
［物理構成］
ここで、実施の形態におけるプログラムを実行することによって、情報生成装置を実現するコンピュータについて図６を用いて説明する。図６は、情報生成装置を実現するコンピュータの一例を示す図である。
【００９５】
図６に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていてもよい。
【００９６】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであってもよい。
【００９７】
また、記憶装置１１３の具体例としては、ハードディスクドライブの他、フラッシュメモリ等の半導体記憶装置があげられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００９８】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００９９】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体があげられる。
【０１００】
なお、本実施の形態における通報装置１は、プログラムがインストールされたコンピュータではなく、各部に対応したハードウェアを用いることによっても実現可能である。更に、通報装置１は、一部がプログラムで実現され、残りの部分がハードウェアで実現されていてもよい。
【０１０１】
［付記］
以上の実施の形態に関し、更に以下の付記を開示する。上述した実施の形態の一部又は全部は、以下に記載する（付記１）から（付記２８）により表現することができるが、以下の記載に限定されるものではない。
【０１０２】
（付記１）
通報音を発生する、通報音発生部と、
位置情報を取得する、位置情報取得部と、
前記通報音発生部と前記位置情報取得部とを起動させる、起動部と、
省電力広域無線通信をする、通信部と、
前記起動部が前記通報音発生部を起動させた後、前記位置情報取得部から前記位置情報を取得できない場合、通報装置を識別する通報装置識別情報と、通報の発生を示す通報発生情報とを有する通報情報を、前記通信部を介して送信する、制御部と、
を有することを特徴とする通報装置。
【０１０３】
（付記２）
付記１に記載の通報装置であって、
前記制御部は、所定時間経過後、前記位置情報を取得した場合、前記通報装置識別情報と、前記通報発生情報と、前記位置情報とを有する通報情報を、前記通信部を介して送信する
ことを特徴とする通報装置。
【０１０４】
（付記３）
付記１又は２に記載の通報装置であって、
前記制御部は、前記起動部が起動前の状態に戻された場合、前記通報音発生部を停止させ、予め設定された設定時間後、前記位置情報取得部を停止させる
ことを特徴とする通報装置。
【０１０５】
（付記４）
通報装置の制御方法であって、
（ａ）起動部が、通報音を発生する通報音発生部を起動させた後、位置情報を取得する位置情報取得部から前記位置情報を取得できない場合、前記通報装置を識別する通報装置識別情報と、通報の発生を示す通報発生情報とを有する通報情報を、省電力広域無線通信をする通信部を介して送信する、ステップ
を有することを特徴とする通報装置の制御方法。
【０１０６】
（付記５）
付記４に記載の通報装置の制御方法であって、
（ｂ）所定時間経過後、前記位置情報を取得した場合、前記通報装置識別情報と、前記通報発生情報と、前記位置情報とを有する通報情報を、前記通信部を介して送信する、ステップを有する
ことを特徴とする通報装置の制御方法。
【０１０７】
（付記６）
付記４又は５に記載の通報装置の制御方法であって、
（ｃ）前記起動部が起動前の状態に戻された場合、前記通報音発生部を停止させ、予め設定された設定時間後、前記位置情報取得部を停止させる、ステップを有する
ことを特徴とする通報装置の制御方法。
【０１０８】
（付記７）
通報装置の制御プログラムであって、
プロセッサに、
（ａ）起動部が、通報音を発生する通報音発生部を起動させた後、位置情報を取得する位置情報取得部から前記位置情報を取得できない場合、通報装置を識別する通報装置識別情報と、通報の発生を示す通報発生情報とを有する通報情報を、省電力広域無線通信をする通信部を介して送信する、ステップ
を実行させる命令を含む、プログラムを記録しているプロセッサ読み取り可能な記録媒体。
【０１０９】
（付記８）
付記７に記載のコンピュータ読み取り可能な記録媒体であって、
前記プログラムが、前記プロセッサに、
（ｂ）所定時間経過後、前記位置情報を取得した場合、前記通報装置識別情報と、前記通報発生情報と、前記位置情報とを有する通報情報を、前記通信部を介して送信する、ステップを実行させる命令を更に含む、
プログラムを記録しているプロセッサ読み取り可能な記録媒体。
【０１１０】
（付記９）
付記７又は８に記載のプロセッサ読み取り可能な記録媒体であって、
前記プログラムが、前記プロセッサに、
（ｃ）前記起動部が起動前の状態に戻された場合、前記通報音発生部を停止させ、予め設定された設定時間後、前記位置情報取得部を停止させる、ステップを実行させる命令を更に含む、
プログラムを記録しているプロセッサ読み取り可能な記録媒体。
【０１１１】
（付記１０）
通報音を発生する通報音発生部が起動した後、位置情報を取得できない場合、通報装置を識別する通報装置識別情報と、通報の発生を示す通報発生情報とを有する第一の通報情報を送信する、前記通報装置と、
前記第一の通報情報を受信した場合、前記第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、前記無線装置と、
前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、情報生成装置と、
を有することを特徴とする通報システム。
【０１１２】
（付記１１）
付記１０に記載の通報システムであって、
前記情報生成装置は、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする通報システム。
【０１１３】
（付記１２）
付記１０又は１１に記載の通報システムであって、
前記情報生成装置は、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする通報システム。
【０１１４】
（付記１３）
付記１０から１２のいずれか一つに記載の通報システムであって、
前記通報装置は、通報音を発生する通報音発生部が起動した後、位置情報を取得できた場合、前記第一の通報情報に、前記通報装置の位置情報を付加した第三の通報情報を送信する
ことを特徴とする通報システム。
【０１１５】
（付記１４）
付記１０から１３のいずれか一つに記載の通報システムであって、
前記通報装置は、起動部が起動前の状態に戻された場合、前記通報音発生部を停止し、予め設定された設定時間後、前記位置情報の取得を停止する
ことを特徴とする通報システム。
【０１１６】
（付記１５）
（ａ）通報音を発生する通報音発生部が起動した後、位置情報を取得できない場合、通報装置を識別する通報装置識別情報と、通報の発生を示す通報発生情報とを有する第一の通報情報を送信する、ステップと、
（ｂ）前記第一の通報情報を受信した場合、前記第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、ステップと、
（ｃ）前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップと、
を有することを特徴とする通報方法。
【０１１７】
（付記１６）
付記１５に記載の通報方法であって、
前記（ａ）のステップにおいて、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする通報方法。
【０１１８】
（付記１７）
付記１５又は１６に記載の通報方法であって、
前記（ｃ）のステップにおいて、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする通報方法。
【０１１９】
（付記１８）
付記１５から１７のいずれか一つに記載の通報方法であって、
前記（ａ）のステップにおいて、通報音を発生する通報音発生部が起動した後、位置情報を取得できた場合、前記第一の通報情報に、前記通報装置の位置情報を付加した第三の通報情報を送信する
ことを特徴とする通報方法。
【０１２０】
（付記１９）
付記１５から１８のいずれか一つに記載の通報方法であって、
（ｄ）起動部が起動前の状態に戻された場合、前記通報音発生部を停止し、予め設定された設定時間後、前記位置情報の取得を停止する、ステップを有する
ことを特徴とする通報方法。
【０１２１】
（付記２０）
通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する
ことを特徴とする情報生成装置。
【０１２２】
（付記２１）
付記２０に記載の情報生成装置であって、
前記情報生成装置は、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする情報生成装置。
【０１２３】
（付記２２）
付記２０又は２１に記載の情報生成装置であって、
前記情報生成装置は、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする情報生成装置。
【０１２４】
（付記２３）
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を有することを特徴とする情報生成方法。
【０１２５】
（付記２４）
付記２３に記載の情報生成方法であって、
（ｂ）二台の前記無線装置から二つの前記第二の通報情報を受信した場合、前記電波受信強度情報を参照して、電波受信強度が強い前記無線装置の前記設置位置を用いて、前記表示情報を生成する、ステップを有する
ことを特徴とする情報生成方法。
【０１２６】
（付記２５）
付記２３又は２４に記載の情報生成方法であって、
（ｃ）三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する、ステップを有する
ことを特徴とする情報生成方法。
【０１２７】
（付記２６）
コンピュータに、
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を実行させる命令を含む、プログラムを記録しているコンピュータ読み取り可能な記録媒体。
【０１２８】
（付記２７）
付記２６に記載のコンピュータ読み取り可能な記録媒体であって、
前記プログラムが、前記コンピュータに、
（ｂ）二台の前記無線装置から二つの前記第二の通報情報を受信した場合、前記電波受信強度情報を参照して、電波受信強度が強い前記無線装置の前記設置位置を用いて、前記表示情報を生成する、ステップを実行させる命令を更に含む、
プログラムを記録しているコンピュータ読み取り可能な記録媒体。
【０１２９】
（付記２８）
付記２６又は２７に記載のコンピュータ読み取り可能な記録媒体であって、
前記プログラムが、前記コンピュータに、
（ｃ）三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する、ステップを実行させる命令を更に含む、
プログラムを記録しているコンピュータ読み取り可能な記録媒体。
【０１３０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【０１３１】
この出願は、２０１８年３月２６日に出願された日本出願特願２０１８−０５８８２０を基礎とする優先権を主張し、その開示の全てをここに取り込む。
【産業上の利用可能性】
【０１３２】
以上のように本発明によれば、消費電力と通信費とを抑えつつ、近距離から遠隔地まで通報できる。本発明は防犯、介助サポートサービスなど、緊急通報が必要な分野において有用である。
【符号の説明】
【０１３３】
１  通報装置
２  通報音発生部
３  位置情報取得部
４  起動部
５  通信部
６  制御部
２０  通報システム
２１、２１ａ、２１ｂ、２１ｃ  無線装置
２２  サーバ装置
２３  情報生成装置
２４  端末装置
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019187628.tif 000003
【図２】
2019187628.tif 000004
【図３】
2019187628.tif 000005
【図４】
2019187628.tif 000006
【図５】
2019187628.tif 000007
【図６】
2019187628.tif 000008
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
通報音を発生する、通報音発生部と、
位置情報を取得する、位置情報取得部と、
前記通報音発生部と前記位置情報取得部とを起動させる、起動部と、
省電力広域無線通信をする、通信部と、
前記起動部が前記通報音発生部を起動させた後、前記位置情報取得部から前記位置情報を取得できない場合、通報装置を識別する通報装置識別情報と、通報の発生を示す通報発生情報とを有する通報情報を、前記通信部を介して送信する、制御部と、
を有することを特徴とする通報装置。
【請求項２】
請求項１に記載の通報装置であって、
前記制御部は、所定時間経過後、前記位置情報を取得した場合、前記通報装置識別情報と、前記通報発生情報と、前記位置情報とを有する通報情報を、前記通信部を介して送信する
ことを特徴とする通報装置。
【請求項３】
請求項１又は２に記載の通報装置であって、
前記制御部は、前記起動部が起動前の状態に戻された場合、前記通報音発生部を停止させ、予め設定された設定時間後、前記位置情報取得部を停止させる
ことを特徴とする通報装置。
【請求項４】
通報装置の制御方法であって、
（ａ）起動部が、通報音を発生する通報音発生部を起動させた後、位置情報を取得する位置情報取得部から前記位置情報を取得できない場合、前記通報装置を識別する通報装置識別情報と、通報の発生を示す通報発生情報とを有する通報情報を、省電力広域無線通信をする通信部を介して送信する、ステップ
を有することを特徴とする通報装置の制御方法。
【請求項５】
請求項４に記載の通報装置の制御方法であって、
（ｂ）所定時間経過後、前記位置情報を取得した場合、前記通報装置識別情報と、前記通報発生情報と、前記位置情報とを有する通報情報を、前記通信部を介して送信する、ステップを有する
ことを特徴とする通報装置の制御方法。
【請求項６】
請求項４又は５に記載の通報装置の制御方法であって、
（ｃ）前記起動部が起動前の状態に戻された場合、前記通報音発生部を停止させ、予め設定された設定時間後、前記位置情報取得部を停止させる、ステップを有する
ことを特徴とする通報装置の制御方法。
【請求項７】
通報装置の制御プログラムであって、
プロセッサに、
（ａ）起動部が、通報音を発生する通報音発生部を起動させた後、位置情報を取得する位置情報取得部から前記位置情報を取得できない場合、通報装置を識別する通報装置識別情報と、通報の発生を示す通報発生情報とを有する通報情報を、省電力広域無線通信をする通信部を介して送信する、ステップ
を実行させるプログラム。
【請求項８】
請求項７に記載のプログラムであって、
前記プログラムが、前記プロセッサに、
（ｂ）所定時間経過後、前記位置情報を取得した場合、前記通報装置識別情報と、前記通報発生情報と、前記位置情報とを有する通報情報を、前記通信部を介して送信する、ステップを実行させるプログラム。
【請求項９】
請求項７又は８に記載のプログラムであって、
前記プログラムが、前記プロセッサに、
（ｃ）前記起動部が起動前の状態に戻された場合、前記通報音発生部を停止させ、予め設定された設定時間後、前記位置情報取得部を停止させる、ステップを実行させるプログラム。
【請求項１０】
通報音を発生する通報音発生部が起動した後、位置情報を取得できない場合、通報装置を識別する通報装置識別情報と、通報の発生を示す通報発生情報とを有する第一の通報情報を送信する、前記通報装置と、
前記第一の通報情報を受信した場合、前記第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、前記無線装置と、
前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、情報生成装置と、
を有することを特徴とする通報システム。
【請求項１１】
請求項１０に記載の通報システムであって、
前記情報生成装置は、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする通報システム。
【請求項１２】
請求項１０又は１１に記載の通報システムであって、
前記情報生成装置は、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする通報システム。
【請求項１３】
請求項１０から１２のいずれか一つに記載の通報システムであって、
前記通報装置は、通報音を発生する通報音発生部が起動した後、位置情報を取得できた場合、前記第一の通報情報に、前記通報装置の位置情報を付加した第三の通報情報を送信する
ことを特徴とする通報システム。
【請求項１４】
請求項１０から１３のいずれか一つに記載の通報システムであって、
前記通報装置は、起動部が起動前の状態に戻された場合、前記通報音発生部を停止し、予め設定された設定時間後、前記位置情報の取得を停止する
ことを特徴とする通報システム。
【請求項１５】
（ａ）通報音を発生する通報音発生部が起動した後、位置情報を取得できない場合、通報装置を識別する通報装置識別情報と、通報の発生を示す通報発生情報とを有する第一の通報情報を送信する、ステップと、
（ｂ）前記第一の通報情報を受信した場合、前記第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報を付加した第二の通報情報を送信する、ステップと、
（ｃ）前記第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップと、
を有することを特徴とする通報方法。
【請求項１６】
請求項１５に記載の通報方法であって、
前記（ａ）のステップにおいて、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする通報方法。
【請求項１７】
請求項１５又は１６に記載の通報方法であって、
前記（ｃ）のステップにおいて、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする通報方法。
【請求項１８】
請求項１５から１７のいずれか一つに記載の通報方法であって、
前記（ａ）のステップにおいて、通報音を発生する通報音発生部が起動した後、位置情報を取得できた場合、前記第一の通報情報に、前記通報装置の位置情報を付加した第三の通報情報を送信する
ことを特徴とする通報方法。
【請求項１９】
請求項１５から１８のいずれか一つに記載の通報方法であって、
（ｄ）起動部が起動前の状態に戻された場合、前記通報音発生部を停止し、予め設定された設定時間後、前記位置情報の取得を停止する、ステップを有する
ことを特徴とする通報方法。
【請求項２０】
通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する
ことを特徴とする情報生成装置。
【請求項２１】
請求項２０に記載の情報生成装置であって、
前記情報生成装置は、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする情報生成装置。
【請求項２２】
請求項２０又は２１に記載の情報生成装置であって、
前記情報生成装置は、三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する
ことを特徴とする情報生成装置。
【請求項２３】
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を有することを特徴とする情報生成方法。
【請求項２４】
請求項２３に記載の情報生成方法であって、
（ｂ）二台の前記無線装置から二つの前記第二の通報情報を受信した場合、前記電波受信強度情報を参照して、電波受信強度が強い前記無線装置の前記設置位置を用いて、前記表示情報を生成する、ステップを有する
ことを特徴とする情報生成方法。
【請求項２５】
請求項２３又は２４に記載の情報生成方法であって、
（ｃ）三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する、ステップを有する
ことを特徴とする情報生成方法。
【請求項２６】
コンピュータに、
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を実行させるプログラム。
【請求項２７】
請求項２６に記載のプログラムであって、
前記プログラムが、前記コンピュータに、
（ｂ）二台の前記無線装置から二つの前記第二の通報情報を受信した場合、前記電波受信強度情報を参照して、電波受信強度が強い前記無線装置の前記設置位置を用いて、前記表示情報を生成する、ステップを実行させるプログラム。
【請求項２８】
請求項２６又は２７に記載のプログラムであって、
（ｃ）三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する、ステップを実行させるプログラム。
【手続補正３】
【補正対象書類名】明細書
【補正対象項目名】０００１
【補正方法】変更
【補正の内容】
【０００１】
本発明は、危険な状態を通報する、通報装置、通報方法、通報システムに関し、更には、これらを実現するためのプログラムに関する。
【手続補正４】
【補正対象書類名】明細書
【補正対象項目名】００１５
【補正方法】変更
【補正の内容】
【００１５】
また、上記目的を達成するため、本発明の一側面における通報装置の制御プログラムは、
プロセッサに、
（ａ）起動部が、通報音を発生する通報音発生部を起動させた後、位置情報を取得する位置情報取得部から前記位置情報を取得できない場合、前記通報装置を識別する通報装置識別情報と、通報の発生を示す通報発生情報とを有する通報情報を、省電力広域無線通信をする通信部を介して送信する、ステップを
実行させることを特徴とする。
【手続補正５】
【補正対象書類名】明細書
【補正対象項目名】００２０
【補正方法】変更
【補正の内容】
【００２０】
更に、上記目的を達成するため、本発明の一側面における情報生成プログラムは、
コンピュータに、
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を実行させることを特徴とする。
【手続補正６】
【補正対象書類名】明細書
【補正対象項目名】００６１
【補正方法】変更
【補正の内容】
【００６１】
通報装置１の動作について説明する。
図３に示すように、制御部６は、まず、起動部４が操作されたことを検出する（ステップＡ１）。続いて、制御部６は、通報音発生部２及び位置情報取得部３を起動する（ステップＡ２）。続いて、制御部６は、位置情報取得部３が位置情報を取得したか否かを判定する（ステップＡ３）。続いて、制御部６は、位置情報を取得した場合（ステップＡ３：Ｙｅｓ）、第三の通報情報を、通信部５を介して、無線装置２１へ送信する（ステップＡ４）。また、制御部６は、位置情報を取得していない場合（ステップＡ３：Ｎｏ）、第一の通報情報を、通信部５を介して、無線装置２１へ送信する（ステップＡ５）。続いて、制御部６は、起動部４が元の状態に戻された否かを検出する（ステップＡ６）。すなわち、通報装置１が停止状態であるか否かを検出する。通報装置１が停止状態に移行したことを検出した場合（ステップＡ６：Ｙｅｓ）、この処理を終了する。また、通報装置１が停止状態に移行していない場合（ステップＡ６：Ｎｏ）、ステップＡ３からＡ６の処理を繰り返す。
【手続補正７】
【補正対象書類名】明細書
【補正対象項目名】００９２
【補正方法】変更
【補正の内容】
【００９２】
また、本発明の実施の形態における情報生成プログラムは、コンピュータに、図４に示すステップＢ１からＢ９を実行させるプログラムであればよい。このプログラムをコンピュータにインストールし、実行することによって、本実施の形態における情報生成装置と情報生成方法とを実現することができる。この場合、コンピュータのプロセッサは、情報生成装置として機能し、処理を行なう。
【手続補正８】
【補正対象書類名】明細書
【補正対象項目名】０１０８
【補正方法】変更
【補正の内容】
【０１０８】
（付記７）
通報装置の制御プログラムであって、
プロセッサに、
（ａ）起動部が、通報音を発生する通報音発生部を起動させた後、位置情報を取得する位置情報取得部から前記位置情報を取得できない場合、通報装置を識別する通報装置識別情報と、通報の発生を示す通報発生情報とを有する通報情報を、省電力広域無線通信をする通信部を介して送信する、ステップ
を実行させるプログラム。
【手続補正９】
【補正対象書類名】明細書
【補正対象項目名】０１０９
【補正方法】変更
【補正の内容】
【０１０９】
（付記８）
付記７に記載のプログラムであって、
前記プログラムが、前記プロセッサに、
（ｂ）所定時間経過後、前記位置情報を取得した場合、前記通報装置識別情報と、前記通報発生情報と、前記位置情報とを有する通報情報を、前記通信部を介して送信する、ステップを実行させるプログラム。
【手続補正１０】
【補正対象書類名】明細書
【補正対象項目名】０１１０
【補正方法】変更
【補正の内容】
【０１１０】
（付記９）
付記７又は８に記載のプログラムであって、
前記プログラムが、前記プロセッサに、
（ｃ）前記起動部が起動前の状態に戻された場合、前記通報音発生部を停止させ、予め設定された設定時間後、前記位置情報取得部を停止させる、ステップを実行させるプログラム。
【手続補正１１】
【補正対象書類名】明細書
【補正対象項目名】０１１７
【補正方法】変更
【補正の内容】
【０１１７】
（付記１６）
付記１５に記載の通報方法であって、
前記（ｃ）のステップにおいて、二台の前記無線装置から二つの前記第二の通報情報を受信した場合、前記電波受信強度情報を参照して、電波受信強度が強い前記無線装置の前記設置位置を用いて、前記表示情報を生成する
ことを特徴とする通報方法。
【手続補正１２】
【補正対象書類名】明細書
【補正対象項目名】０１２７
【補正方法】変更
【補正の内容】
【０１２７】
（付記２６）
コンピュータに、
（ａ）通報音を発生する通報音発生部が起動した後、位置情報を取得できない場合、通報装置を識別する通報装置識別情報と、通報の発生を示す通報発生情報とを有する第一の通報情報に、前記第一の通報情報を受信した無線装置を識別する無線装置識別情報と、前記第一の通報情報を受信した場合に計測した電波受信強度を示す電波受信強度情報と、前記第一の通報情報を受信した日時を示す無線通信日時情報とを付加した第二の通報情報を受信した場合、前記電波受信強度情報と、前記第一の通報情報を受信した前記無線装置の設置位置を示す設置位置情報とに基づいて、地図上に前記通報装置に対応する位置を、端末装置に表示させるための表示情報を生成する、ステップ
を実行させるプログラム。
【手続補正１３】
【補正対象書類名】明細書
【補正対象項目名】０１２８
【補正方法】変更
【補正の内容】
【０１２８】
（付記２７）
付記２６に記載のプログラムであって、
前記プログラムが、前記コンピュータに、
（ｂ）二台の前記無線装置から二つの前記第二の通報情報を受信した場合、前記電波受信強度情報を参照して、電波受信強度が強い前記無線装置の前記設置位置を用いて、前記表示情報を生成する、ステップを実行させるプログラム。
【手続補正１４】
【補正対象書類名】明細書
【補正対象項目名】０１２９
【補正方法】変更
【補正の内容】
【０１２９】
（付記２８）
付記２６又は２７に記載のプログラムであって、
前記プログラムが、前記コンピュータに、
（ｃ）三台以上の前記無線装置から三つ以上の前記第二の通報情報を受信した場合、前記電波受信強度情報を参照して、電波受信強度が強い前記無線装置の前記設置位置を用いて、三点位置測位に基づいて前記通報装置の位置を算出し、算出した位置を用いて、前記表示情報を生成する、ステップを実行させるプログラム。
【国際調査報告】
2019187628.tif 000009
2019187628.tif 000010
2019187628.tif 000011
2019187628.tif 000012